(57)【要約】【課題】  従来のパンツは裁断した布を、縫い合わせて製作していたので、縫い合わせで出来た凸凹に接触して陰茎・陰嚢が擦れた。「ブリーフ型」パンツは陰茎が膨脹する時パンツの中に窮屈に閉じこめられていた。「トランクス型」パンツは二股分かれになっていて二本足の狭いところに睾丸を内蔵した陰嚢があって、足の前後運動で大腿と陰嚢が接触して擦れた。【解決手段】  陰茎・陰嚢を筒形状におおう陰茎・陰嚢収容部４が、パンツ本体１と編み上げ製作して接続している。陰茎・陰嚢をおおっている陰茎・陰嚢収容部４がパンツ本体１から男性の体形に自然な状態で筒形状に突き出て、収容部開口５に至る。筒形状に編み上げ製作した陰茎・陰嚢収容部４が、陰茎・陰嚢をおおっている。筒形状に編み上げ製作した陰茎・陰嚢収容部４が大腿部と陰茎・陰嚢の間を仕切っている。陰茎・陰嚢収容部４も含んで、編み上げ製作したパンツである。【選択図】  図１
2006291368.tif 000002
【特許請求の範囲】
【請求項１】
編み上げ製作したパンツである。（裁断した布を縫い合わせていない）
【請求項２】
編み上げ製作した陰茎・陰嚢収容部が、陰茎・陰嚢を筒形状に囲んでおおっている。
【請求項３】
筒形状に編み上げ製作した陰茎・陰嚢収容部が、大腿と陰茎・陰嚢の間を仕切っている。
【請求項４】
編み上げ製作した陰茎・陰嚢収容部が、パンツ本体から筒形状に突き出ている。
【発明の詳細な説明】
【技術分野】
【０００１】
本発明は、陰茎・陰嚢を筒形状におおう、陰茎・陰嚢収容部も含んで、編み上げ製法で製作したパンツに関する。
【背景技術】
【０００２】
従来のパンツは裁断した布を縫い合わせて製作していた。縫い合わせてできた凸凹に陰茎・陰嚢が接触して擦れた。
【０００３】
パンツは外観形状から「ブリーフ型」と「トランクス型」に大別される。
【０００４】
「ブリーフ型」パンツは図５に示した形状が多く、恋人を意識した時、睡眠中等に陰茎が膨脹する時、パンツの中に陰茎が窮屈にとじこめられていた、足の前後運動で縫い合わせてできた凸凹に陰嚢が接触して擦れた。
【０００５】
「トランクス型」パンツは、図６に示した形状が多く、二股別れになっていて二本足の狭いところに睾丸を内蔵した陰嚢があって、足の前後運動で大腿と陰嚢が接触して擦れた、縫い合わせてできた凸凹に陰嚢が接触して擦れた。
【０００６】
特表２００４−５０６８２１は陰茎収容チューブと陰嚢収容チューブを、パンツ本体と接続するために縫い合わせている。縫い合わせてできる凸凹に陰茎と陰嚢が接触して、足の前後運動で擦れた。（これが解決すべき課題である。）
【０００７】
健康な男性のペニスは年齢に関わりなく、睡眠中ある周期のもとに大きくなったり、小さくなったりを繰り返しているわけだ、“朝立ち”という現象は、たまたまペニスが大きくなっているときに起床したということである。９５才９６才のお年寄りの睡眠中のペニスはある周期のもとに確実に勃起した。勃起を詳しく調べるとペニスが大きくなり始めるのは、レム睡眠に入る２・５分前、その後レム睡眠に入って５・４分経過すると、ペニスは最も大きく、はち切れんばかりになった。やがて再びペニスは萎れ始め、その４０秒後にレム睡眠は終了した。ペニスが完全に小さくなるのはレム睡眠の終了後１２・４分。陰嚢が寒いとシワシワになって熱いと伸び切ってしまうのも温度調節のため、冷えすぎのときは表面が縮まって小さくなってしまう、だからボールの位置も上がり気味、熱いときはその逆。いま若い人の間にはブリーフ派とトランクス派がいるようだが、暑がり屋のボールの身になって考えるとブリーフはよくない。
【特許文献１】特表２００４−５０６８２１
【非特許文献１】鈴木弘文  北里大学教授監修  医学なるほど事典  緒方出版  １９８３年３月１０日  Ｐ２９４,２９５，２９６
【発明の開示】
【発明が解決しようとする課題】
【０００８】
従来のパンツは裁断した布を縫い合わせて製作していた、縫い合わせてできた凸凹があり、足の前後運動で、陰茎・陰嚢が接触して擦れて不快であった。
【０００９】
「ブリーフ型」パンツは図５に示した形状が多く、陰茎が膨脹する時パンツの中に窮屈にとじこめられていた。足の前後運動で縫い合わせてできた凸凹に、陰嚢が接触して擦れて不快であった。
【００１０】
「トランクス型」パンツは図６に示した形状が多く、二股分かれになっていて二本足の狭いところに睾丸を内蔵した陰嚢があって、足の前後運動で大腿と陰嚢が接触して擦れて不快であった。
【課題を解決するための手段】
【００１１】
編み上げ製作したパンツである。（裁断した布を縫い合わせていない。）
【００１２】
図１、図２、図４に示してあるように、編み上げ製作した陰茎・陰嚢収容部が陰茎・陰嚢を筒形状に囲んでおおっている。
【００１３】
図１、図２に示してあるように、筒形状に編み上げ製作した陰茎・陰嚢収容部が、大腿と陰茎・陰嚢の間を仕切っている。
仕切る＝隔てとなるものを設けて境をする。（大辞泉）
【００１４】
図１、図２、図４に示してあるように、編み上げ製作した陰茎・陰嚢収容部がパンツ本体から男性の体形に自然な状態で筒形状に突き出ている。
【発明の効果】
【００１５】
（編み上げ製作しているので）パンツ全体が。体にフィットして擦れにくい。
【００１６】
（編み上げ製作した陰茎・陰嚢収容部が陰茎・陰嚢を筒形状に囲んでおおっているので）陰茎・陰嚢とパンツの接触が弱まる周辺の汗や湿気を吸い速やかに発散する。
【００１７】
（編み上げ製作した陰茎・陰嚢収容部が大腿と陰茎・陰嚢の間を仕切っているので）大腿と陰茎・陰嚢との接触が弱まる擦れにくく、はき心地良い。
【００１８】
（筒形状に編み上げ製作した陰茎・陰嚢収容部が陰茎・陰嚢を包んでパンツ本体から突き出ているので）陰茎の角度が自然の角度にできる。陰茎の膨脹もスムーズにできる。陰嚢が自然の状態で垂れているので、伸縮して陰嚢の温度調節できる。
【発明を実施するための最良の形態】
【００１９】
素材は吸水性の良い綿、その綿より３倍の吸水性を持つレーヨン、放湿性通気性のすぐれた麻、伸縮性のあるポリウレタン等を調整して編み上げる。ウエストエリアには、上記素材に細いゴムを編み込む場合がある。汗や湿気を吸い速やかに発散するパンツができる。
【００２０】
調整した上記素材に細いゴムを加えて、ウエスト開口２から編み進み、ウエストエリアを編むと、調整した上記素材で編み進み、臀部のふくらみを形成して、体形にそうように立体的に編み進み大腿開口３に至る。さらに陰茎・陰嚢収容部４を編んで収容部開口５に至る。
【００２１】
世界初のコンピューター制御による編み機を開発して、縫い目なし、糸をセットして数十分で体の線にそうような立体的表現ができ、丸ごと編み上げる機械でセーターを編み上げている。日本国内９０％のシェアの電子制御の編み機を製作している会社がある。この優秀な技術を応用して編み上げてパンツを製作する。
【実施例１】
【００２２】
パンツの着用方法は、パンツ本体１のウエスト開口２に使用者の足を挿入して、大腿開口３を通る、両足を通した時点でパンツ本体１を胴体に寄せ上げると陰茎・陰嚢は陰茎・陰嚢収容部４に自然に収容される。
【００２３】
陰茎・陰嚢収容部４は図１、図４の点線に示してあるように先端の収容部開口５まで伸ばして使用する場合がある。
【００２４】
陰茎・陰嚢収容部４は図２、図４の斜線に示してあるように収容部開口５周辺を折り返してピン６等で留めて使用する場合がある。
【００２５】
陰茎・陰嚢収容部４は図３に示してあるように、収容部開口５近くを折り返してボタン７等で留めて使用する場合がある。（激しく寝返りしても陰茎が陰茎・陰嚢収容部４の中にとどまっている。）
【００２６】
排尿の時は収容部開口５から陰茎をのぞかせて、用事を終えて収容部開口５から陰茎・陰嚢収容部４内に収める。
【００２７】
排便の時は、従来のパンツと同様の方法で用事を終える。
【図面の簡単な説明】
【００２８】
【図１】陰茎・陰嚢収容部を特徴とするパンツ「トランクス型」を示す斜視図。収容部開口周辺を伸ばした状態を示す。
【図２】陰茎・陰嚢収容部を特徴とするパンツ「ブリーフ型」を示す斜視図。収容部開口周辺を折り返してピンで留めた状態を示す。
【図３】陰茎・陰嚢収容部の収容部開口近くを折り曲げてボタンで留めた状態を示す斜視図。
【図４】陰茎・陰嚢収容部を特徴とするパンツ縦断面図。斜線部は収容部開口周辺を折り返して使用する場合。点線部は収容部開口周辺を伸ばして使用する場合。
【図５】従来のパンツ「ブリーフ型」を示す。
【図６】従来のパンツ「トランクス型」を示す。
【符号の説明】
【００２９】
１ パンツ本体
２ ウエスト開口
３ 大腿開口
４ 陰茎・陰嚢収容部
５ 収容部開口
６ ピン
７ ボタン
【図１】
2006291368.tif 000003
【図２】
2006291368.tif 000004
【図３】
2006291368.tif 000005
【図４】
2006291368.tif 000006
【図５】
2006291368.tif 000007
【図６】
2006291368.tif 000008
【手続補正書】
【提出日】平成18年3月10日(2006.3.10)
【手続補正１】
【補正対象書類名】特許請求の範囲
【補正対象項目名】請求項１
【補正方法】変更
【補正の内容】
【請求項１】
陰茎・陰嚢収容部を特徴とする、編み上げ製作したパンツ。
【手続補正２】
【補正対象書類名】明細書
【補正対象項目名】００１１
【補正方法】変更
【補正の内容】
【００１１】陰茎・陰嚢収容部を特徴とする、編み上げ製作したパンツ。（裁断した布を縫い合わせていない。）
【手続補正３】
【補正対象書類名】明細書
【補正対象項目名】００１５
【補正方法】変更
【補正の内容】
【００１５】（陰茎・陰嚢収容部も含めてパンツ全体を編み上げ製作しているので、）パンツ全体が体にフィットして擦れにくい。
【手続補正４】
【補正対象書類名】明細書
【補正対象項目名】００２０
【補正方法】変更
【補正の内容】
【００２０】調整した素材でウエスト開口２から編み始め、ウエストエリアを編み進む、臀部のふくらみを形成して、体形にそうように、立体的に編み進み、パンツ本体１に接続して、陰茎・陰嚢収容部４を筒形状に突き出して編み進み、収容部開口５に至る。（トランクス型パンツは大腿エリアを編み進み、大腿開口３に至る。）
【手続補正５】
【補正対象書類名】明細書
【補正対象項目名】００２１
【補正方法】変更
【補正の内容】
【００２１】世界初のコンピュータ制御による編み機を開発して、縫目なし糸をセットして数十分で体の線にそうような立体的表現ができ丸ごと編み上げる編み機で、日本国内の９０％のシェアの電子制御の編み機を製作している会社がある。この優秀なノウハウを活用して、編み上げてパンツを製作する。
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
陰茎・陰嚢収容部が陰茎・陰嚢をゆったり囲んで覆っている構造を備えたパンツ。
【請求項２】
陰茎・陰嚢収容部が大腿と陰茎・陰嚢の間を仕切っている構造を備えたパンツ。
【手続補正３】
【補正対象書類名】明細書
【補正対象項目名】０００１
【補正方法】変更
【補正の内容】
【０００１】  本発明は陰茎・陰嚢収容部が陰茎・陰嚢をゆったり囲んで覆っている構造を備えたパンツに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
【非特許文献１】鈴木弘文  北里大学教授監修  医学なるほど辞典  緒方出版１９８３年３月１０日  Ｐ２９４，２９５，２９６  健康な男性のペニスは年齢に関わりなく、睡眠中ある周期のもとに大きくなったり、小さくなったりを繰り返しているわけだ、“朝立ち”という現象は、たまたまペニスが大きくなっているときに起床したということである。９５歳９６歳のお年寄りの睡眠中のペニスはある周期のもとに確実に勃起した。勃起を詳しく調べるとペニスが大きくなり始めるのは、レム睡眠に入る２・５分前、その後レム睡眠に入って５・４分経過すると、ペニスは最も大きく、はち切れんばかりになった。やがて再びペニスは萎れ始め、その４０秒後にレム睡眠は終了した。ペニスが完全に小さくなるのはレム睡眠の終了後１２・４分、陰嚢が寒いとシワシワになって熱いと伸び切ってしまうのも温度調節のため、冷えすぎのときは表面が縮まって小さくなってしまう、だからボールの位置も上がり気味、熱いときはその逆。いま若い人の間にはブリーフ派とトランクス派がいるようだが、暑がり屋のボールの身になって考えるとブリーフはよくない。
【手続補正６】
【補正対象書類名】明細書
【補正対象項目名】００１１
【補正方法】変更
【補正の内容】
【００１１】  陰茎・陰嚢収容部を特徴とするパンツ。
【手続補正７】
【補正対象書類名】明細書
【補正対象項目名】００１２
【補正方法】変更
【補正の内容】
【００１２】  図１、図２、図４、図５に示してあるように、陰茎・陰嚢収容部が陰茎・陰嚢をゆったり囲んで覆っている。
【手続補正８】
【補正対象書類名】明細書
【補正対象項目名】００１３
【補正方法】変更
【補正の内容】
【００１３】  図１、図２、図３、図５に示してあるように、陰茎・陰嚢収容部が大腿と陰茎・陰嚢の間を仕切っている。
【手続補正９】
【補正対象書類名】明細書
【補正対象項目名】００１４
【補正方法】変更
【補正の内容】
【００１４】  図１、図２、図４、図５に示してあるように、陰茎・陰嚢収容部がパンツ本体から筒形状に突き出ている。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】  陰茎・陰嚢とパンツとの接触が弱まる、通気性が良いので熱を発散する、周辺の汗や湿気を吸い速やかに放散する。
【手続補正１２】
【補正対象書類名】明細書
【補正対象項目名】００１７
【補正方法】変更
【補正の内容】
【００１７】  大腿と陰茎・陰嚢との接触が弱まる、擦れにくく、はき心地良い。
【手続補正１３】
【補正対象書類名】明細書
【補正対象項目名】００１８
【補正方法】変更
【補正の内容】
【００１８】  陰茎が自然の角度で膨脹収縮できる、陰嚢が自然の状態で垂れているので、伸縮して陰嚢の温度調節できる。
【手続補正１４】
【補正対象書類名】明細書
【補正対象項目名】００２５
【補正方法】削除
【補正の内容】
【手続補正１５】
【補正対象書類名】明細書
【補正対象項目名】００２８
【補正方法】変更
【補正の内容】
【００２８】
【図１】陰茎・陰嚢収容部を特徴とするパンツ「トランクス型」を示す斜視図。収容部開口周辺を伸ばした状態を示す。
【図２】陰茎・陰嚢収容部を特徴とするパンツ「ブリーフ型」を示す斜視図。収容部開口を折り返してピンで留めた状態を示す。
【図３】陰茎・陰嚢収容部を特徴とする「トランクス型」パンツ股間部縦断面図。（拡大して示す）
【図４】陰茎・陰嚢収容部を特徴とするパンツ縦断面図。斜線部は収容部開口周辺を折り返して使用する場合。点線部は収容部開口周辺を伸ばして使用する場合。
【図５】陰茎・陰嚢収容部を特徴とする「トランクス型」パンツを示す図面代用写真。（股間を広げている）
【図６】従来のパンツ「トランクス型」を示す。
【手続補正１６】
【補正対象書類名】明細書
【補正対象項目名】００２９
【補正方法】変更
【補正の内容】
【００２９】      １  パンツ本体
２  ウエスト開口
３  大腿開口
４  陰茎・陰嚢収容部
５  収容部開口
６  ピン
【手続補正１７】
【補正対象書類名】図面
【補正対象項目名】図３
【補正方法】変更
【補正の内容】
【図３】
2006291368.tif 000009
【手続補正１８】
【補正対象書類名】図面
【補正対象項目名】図４
【補正方法】変更
【補正の内容】
【図４】
2006291368.tif 000010
【手続補正１９】
【補正対象書類名】図面
【補正対象項目名】図５
【補正方法】変更
【補正の内容】
【図５】
2006291368.tif 000011